(57)【要約】      （修正有）【課題】ダンボール箱などへの粘着テープの貼付けに利用すると、その開封が容易になる粘着テープ用カッター。【解決手段】ロール状の粘着テープ１８を回転可能に支持するカッター本体１１と、粘着テープ１８が前記カッター本体１１に支持された状態から、粘着テープ１８を引き出して所定の貼付面に貼付けた後に、この引き出して使用した粘着テープを切断する第１の刃１２ｂと、紐状部材１９を引き出し可能に収納する紐状部材収納ユニット１３と、粘着テープ１８を引き出して使用する際に、貼付面と粘着テープとの間に紐状部材１９を介在させる貼付面に貼付けた後に、使用した紐状部材１９を切断する第２の刃１７とを備え、貼付面に貼付けられた粘着テープ１８の長さ方向から見て、紐状部材１９の切断位置と粘着テープ１８の切断位置はずれている。【選択図】図１
2013209167.tif 000002
【特許請求の範囲】
【請求項１】
ロール状に巻かれた粘着テープを回転可能に支持するカッター本体と、
前記ロール状の粘着テープが前記カッター本体に支持された状態から、前記粘着テープを引き出して所定の貼付面に貼付けた後に、この引き出して使用した前記粘着テープを切断する第１の刃と、
紐状部材を引き出し可能に収納する紐状部材収納ユニットと、
前記粘着テープを引き出して使用する際に、前記貼付面と前記粘着テープとの間に前記紐状部材を介在させる様に、前記紐状部材収納ユニットから引き出した紐状部材を、前記カッター本体から引き出した粘着テープの粘着面の中心線に沿った位置に規制する規制部材と、
前記粘着テープと共に前記貼付面に貼付けた後に、使用した前記紐状部材を切断する第２の刃とを備え、
前記貼付面に貼付けられた前記粘着テープの長さ方向から見て、前記紐状部材の切断位置と前記粘着テープの切断位置はずれていることを特徴とする粘着テープ用カッター。
【請求項２】
前記ロール状の粘着テープから引き出した粘着テープを案内するローラーが、前記カッター本体の前方に設けられていることを特徴とする請求項１に記載の粘着テープ用カッター。
【請求項３】
前記カッター本体に回動可能に設けられた紐カッターを更に備え、前記第２の刃はこの紐カッターに設けられており、前記粘着テープが前記ローラー上を移動する際に前記紐状部材に対応する位置に、前記ローラーの周囲に亘る溝が設けられ、前記紐カッターが回動した位置において前記第２の刃が前記溝に係合して前記紐状部材を切断することを特徴とする請求項２に記載の粘着テープ用カッター。
【請求項４】
前記ローラーは、前記粘着テープの粘着面の反対側である表面に係合する前方ローラーであり、この前方ローラーの後方に前記粘着テープの粘着面に係合する後方ローラーを更に備えたことを特徴とする請求項３に記載の粘着テープ用カッター。
【請求項５】
前記規制部材は、前記後方ローラーの更に後方に設けられており、この前記規制部材の規制により、前記粘着テープが前記後方ローラーに係合する際に、それらの間に前記紐状部材が介在することを特徴とする請求項４に記載の粘着テープ用カッター。
【請求項６】
前記カッター本体の前方の固定位置に前記粘着テープを切断する前記第１の刃と前記紐状部材を切断する前記第２の刃が設けられており、前記カッター本体から引き出した粘着テープの長さ方向から見て、前記第２の刃は前記第１の刃の後方に位置することを特徴とする請求項１に記載の粘着テープ用カッター。
【請求項７】
前記第２の刃の刃先は、前記第１の刃の刃先方向とは反対の方向へずれていることを特徴とする請求項６に記載の粘着テープ用カッター。
【請求項８】
前記第２の刃はＶ字型の刃であることを特徴とする請求項７に記載の粘着テープ用カッター。
【発明の詳細な説明】
【技術分野】
【０００１】
本発明は、梱包物などに粘着テープを貼り付ける際に利用する粘着テープ用カッターに関する。
【背景技術】
【０００２】
近年の通信販売の拡大に伴い、一般家庭などでも連日のように宅配による荷物が届くといったことも多くなっている。荷物の多くはダンボールに梱包され、開封部分には、ガムテープなどの粘着テープが貼り合わされている。
【０００３】
ガムテープには布製と紙製のものがあるが、紙製のものはクラフト紙をそのまま利用し、剥離のための表面処理を施す必要がないということもあり安価に利用できる。一方、布製のものでも、布目に沿って手でまっすぐ切ることができる為、使い勝手が良い。また、用途によってはアクリル粘着テープのような丈夫なものが適している場合もある。
【先行技術文献】
【特許文献】
【０００４】
【特許文献１】特開平５−１６２７４２号公報
【０００５】
【特許文献２】特開２００４−１７５４５１号公報
【発明の概要】
【発明が解決しようとする課題】
【０００６】
しかしながら、粘着テープはロール状に巻かれたものから必要な長さだけ剥がして利用するので、梱包物に貼られた状態では両端が完全に接着している。この為、荷物を開封しようとして粘着テープを剥がす作業が、非常にやりにくいという問題がある。特に非力な女性では、しばしば開封に時間がかかってしまうということがあった。
【０００７】
また、フラップ部の合せ目にカッターを入れて、合せ目に沿ってテープを切断しフラップ部を開けることがある。しかし、カッターが常に手元にあるとは限らず、また、フラップ部の合せ目にカッターを入れると、カッターで梱包箱内部の物品に傷を付ける虞もある。
【０００８】
更に、紙製のガムテープを端から剥がそうとしても、しばしば途中で切れてしまい、再度切れ端をめくるという面倒な作業を繰り返さなければならないことがある。一方、ダンボール箱に貼られたアクリル粘着テープにカッターを使うと、開封後にテープがダンボールに残ってしまい後でテープを全て除去してから再生紙としてリサイクルする必要がある。これは非常に煩雑な作業である。
【０００９】
これに対して、例えば特許文献１に開示されているものでは、梱包箱の側面に指掛用開口部を形成し、テープを剥がす際に、この指掛用開口部に指を入れて、良好にテープを剥がせるようにしている。また、特許文献２に開示されているものでは、梱包箱の側面に、テープを剥がす際に指を入れることのできる切れ目が形成されている。
【００１０】
しかしながら、上記特許文献１および特許文献２に開示されているように、テープを剥がす際に指を入れるように指掛用開口部や切れ目を梱包箱の側面に形成させておくと、梱包箱の強度が弱くなり、また指掛用開口部では、この開口部から梱包箱内部にほこりが入り易い等の問題点があった。更に、紙製ガムテープが途中で切れてしまうという問題については解決されない。
【００１１】
そこで、本発明の目的は、女性でも容易に梱包箱などから粘着テープを剥がすことが出来るように、粘着テープの貼り付けが行える粘着テープ用カッターを提供することである。
【課題を解決するための手段】
【００１２】
上記課題を解決するために、本発明の粘着テープ用カッターは、ロール状に巻かれた粘着テープを回転可能に支持するカッター本体と、前記ロール状の粘着テープが前記カッター本体に支持された状態から、前記粘着テープを引き出して所定の貼付面に貼付けた後に、この引き出して使用した前記粘着テープを切断する第１の刃と、紐状部材を引き出し可能に収納する紐状部材収納ユニットと、前記粘着テープを引き出して使用する際に、前記貼付面と前記粘着テープとの間に前記紐状部材を介在させる様に、前記紐状部材収納ユニットから引き出した紐状部材を、前記カッター本体から引き出した粘着テープの粘着面の中心線に沿った位置に規制する規制部材と、前記粘着テープと共に前記貼付面に貼付けた後に、使用した前記紐状部材を切断する第２の刃とを備え、前記貼付面に貼付けられた前記粘着テープの長さ方向から見て、前記紐状部材の切断位置と前記粘着テープの切断位置はずれていることを特徴とする。
【００１３】
このような構成により、ダンボール箱などの貼付面に粘着テープを貼付けた場合、紐状部材が粘着テープを剥がす際の手がかりとなって、開封を容易に行うことが可能となる。
【００１４】
１つの実施形態では、前記ロール状の粘着テープから引き出した粘着テープを案内するローラーが、前記カッター本体の前方に設けられていることを特徴とする。このローラーにより、紐状部材が粘着テープと貼付面との間に確実に介在するようになる。
【００１５】
また、１つの実施形態では、前記カッター本体に回動可能に設けられた紐カッターを更に備え、前記第２の刃はこの紐カッターに設けられており、前記粘着テープが前記ローラー上を移動する際に前記紐状部材に対応する位置に、前記ローラーの周囲に亘る溝が設けられ、前記紐カッターが回動した位置において前記第２の刃が前記溝に係合して前記紐状部材を切断することを特徴とする。このような構成により、第２の刃による紐状部材の切断がより確実となる。
【００１６】
更に、１つの実施形態では、前記ローラーは、前記粘着テープの粘着面の反対側である表面に係合する前方ローラーであり、この前方ローラーの後方に前記粘着テープの粘着面に係合する後方ローラーを更に備えたことを特徴とする。これらのローラーにより、紐状部材が粘着テープに確実に介在するようになる。
【００１７】
更に、１つの実施形態では、前記規制部材は、前記後方ローラーの更に後方に設けられており、この前記規制部材の規制により、前記粘着テープが前記後方ローラーに係合する際に、それらの間に前記紐状部材が介在することを特徴とする。この規制部材と後方ローラーとの組み合わせにより、紐状部材が粘着テープの中心に確実に介在するようになる。
【００１８】
更に、１つの実施形態では、前記カッター本体の前方の固定位置に前記粘着テープを切断する前記第１の刃と前記紐状部材を切断する前記第２の刃が設けられており、前記カッター本体から引き出した粘着テープの長さ方向から見て、前記第２の刃は前記第１の刃の後方に位置することを特徴とする。このような構成により、粘着テープ用カッターの製造コストを低く抑えることが出来る。
【００１９】
このような構成により、粘着テープ用カッターの製造コストを低く抑えることが出来る。また好ましくは、前記第２の刃の刃先は、前記第１の刃の刃先方向とは反対の方向へずれている。このようにすることで、前記第２の刃を鋭くしても、それによりユーザーが怪我をする虞を小さく出来る。更に、前記第２の刃はＶ字型の刃とすれば、紐状部材が前記粘着テープより効果的に突出し、ユーザーが紐状部材を摘みやすくなる。
【発明の効果】
【００２０】
本発明に係わる粘着テープ用カッターによれば、粘着テープの貼り付けの後にダンボール箱などからその粘着テープを剥がす際に、紐状部材が手がかりとなって、剥がす作業が非常に楽になる。
【図面の簡単な説明】
【００２１】
【図１】図１は、本発明の実施例１による粘着テープ用カッターを示す右側面図である。
【図２】図２は、本発明の実施例１による粘着テープ用カッターを示す左側面図である。
【図３】図３は、図１および図２に示した粘着テープ用カッターのテープ保持シリンダーを示す図である。
【図４】図４は、図１および図２に示した粘着テープ用カッターで用いられる規制板の機能を説明する図である。
【図５】図５は、図１および図２に示した粘着テープ用カッターで用いられる規制板の機能を説明する図である。
【図６】図６は、紐状部材を用いないで通常の粘着テープ用カッターとして使用する場合に、規制板に紐状部材を係止した状態を示す図である。
【図７】図７は、図１および図２に示した粘着テープ用カッターを用いて粘着テープを貼り付ける様子を説明する図である。
【図８】図８は、図１および図２に示した粘着テープ用カッターを用いて粘着テープを貼り付ける様子を説明する図である。
【図９】図９は、図１および図２に示した粘着テープ用カッターで用いられる紐カッターの拡大斜視図であり、前方ローラーと紐カッターとの相対関係を示している。
【図１０】図１０は、図１および図２に示した粘着テープ用カッターを用いて粘着テープを貼り付ける際に、紙紐が切断される様子を説明する図である。
【図１１】図１１は、図１および図２に示した粘着テープ用カッターを用いて粘着テープを貼り付ける様子を説明する図である。
【図１２】図１２は、図１および図２に示した粘着テープ用カッターを用いて粘着テープを貼り付ける様子を説明する図である。
【図１３】図１３は、図１および図２に示した粘着テープ用カッターを用いて粘着テープを貼り付けた場合に、その粘着テープがどのような状態で貼り付けられるかを示した図である。
【図１４】図１４は、図１および図２に示した粘着テープ用カッターで貼り付けた粘着テープが紙製のガムテープの場合に、どのように開封作業が行われるかを説明する図である。
【図１５】図１５は、本発明の実施例２による粘着テープ用カッターを示す右側面図である。
【図１６】図１６は、図１５に示した本発明の実施例２による粘着テープ用カッターで用いられる鋸刃を示す拡大斜視図である。
【図１７】図１７は、図１５に示した本発明の実施例２による粘着テープ用カッターで用いられる鋸刃を示す正面図である。
【図１８】図１８は、図１５に示した本発明の実施例２による粘着テープ用カッターで用いられる鋸刃を示す底面図である。
【図１９】図１９は、図１５に示した本発明の実施例２による粘着テープ用カッターで貼り付けた粘着テープの先端の状態を示す図である。
【図２０】図２０は、別の鋸刃を利用した図１５に示した本発明の実施例２の変形例を示す底面図である。
【図２１】図２１は、図１５に示した本発明の実施例２による粘着テープ用カッターで貼り付けた粘着テープの先端の状態を示す図であり、図２０に示した鋸刃を利用した場合を示している。
【発明を実施するための形態】
【００２２】
以下、添付図面を参照しながら本発明の実施形態による粘着テープ用カッターを説明する。
【実施例１】
【００２３】
図１および図２は、実施例１による粘着テープ用カッターを示す右側面図および左側面図である。
【００２４】
ここで、粘着テープ用カッター１０は、樹脂製のカッター本体１１と、テープ保持シリンダー１２と、カッター本体１１の外側に、テープ保持シリンダー１２と同軸に回転可能に設けられた糸巻き１３と、カッター本体１１の後方に回転可能に設けられた後方ローラー１４および前方ローラー１５と、これら後方ローラー１４および前方ローラー１５の間に位置する軸１６の回りに回動可能に設けられた樹脂製の紐カッター１７からなっている。
【００２５】
カッター本体１１の先端部分には、鋸刃１２ｂが設けられている。この鋸刃１２ｂは、余り鋭い刃先だと危険なので、粘着テープをカットするのに十分な程度のやや鈍い刃先となっている。また、カッター本体１１の先端部分には、鋸刃１２ｂの近傍にストッパー１２ａが設けられている。このストッパー１２ａは、紐カッター１７が、図１の状態よりも更に右に回動しないようにするものである。
【００２６】
テープ保持シリンダー１２は、カッター本体１１と一体的に設けられ、カッター本体１１の左内側から右方向へ伸びている。紙製ガムテープなどのロール状の粘着テープ１８の中空に、このテープ保持シリンダー１２を挿し込むことで、粘着テープ１８をカッター本体１１に設置する。
【００２７】
テープ保持シリンダー１２は、図３に示したような形状をしており、周囲に４箇所の切り込み１１ｃが設けられている。この切り込み１１ｃによって、対向した２箇所に粘着テープ１８の外れを防止するための弾性フック１１ｈが形成される。
【００２８】
ロール状の紙製ガムテープなどの粘着テープ１８は、このテープ保持シリンダー１２に嵌め込み、テープ先端を引き出し、後方ローラー１４および前方ローラー１５の間に通して使用する。後方ローラー１４の表面は、粘着テープ１８と接着しないような剥離のための表面処理を施しても良い。また、粘着テープとの接触面積を小さくするような溝を形成しておいても良い。これらのローラー１４、１５によって、粘着テープ１８が前方へと案内され貼付作業を容易にする。
【００２９】
糸巻き１３には、紙紐１９が巻き回されている。この紙紐１９は、カッター本体１１の中程に設けられた孔２１を通って内側に入れて使用する。カッター本体１１の内側には規制板２２が設けられており、紙紐１９は、規制板２２によって後方ローラー１４の中央位置に導かれる。図４は、この規制板２２を、面に直角な方向からみた図である。また図５は、この規制板２２を面に水平な方向からみた図である。
【００３０】
カッター本体１１の孔２１を通った紙紐１９は、規制板２２の切り込み２２ｄに引っ掛けてから粘着テープ１８と同様に、粘着テープ１８の粘着面に接するようにして、後方ローラー１４および前方ローラー１５の間に通される。実際の使用では、紙紐１９を先に通してから、粘着テープ１８を通すようにする。紙紐１９の位置は、規制板２２により常に粘着テープ１８の幅方向中央に位置決めされる。
【００３１】
従って、この粘着テープ用カッター１０を利用するには、先ず糸巻き１３から紙紐１９を引き出し、カッター本体１１の孔２１を通し、規制板２２の切り込み２２ｄに引っ掛けてから後方ローラー１４と前方ローラー１５の間に垂らしておく。次に、粘着テープ１８をテープ保持シリンダー１２に装着し、テープ先端を引き出し、後方ローラー１４と前方ローラー１５の間に垂らしておく。ここで粘着テープ１８の幅方向の中央付近に紙紐１９の先端が接着される。この手続きは最初のみ行えば良く、その後は後述の通り、粘着テープ１８の貼付作業を連続的に行うことが出来る。
【００３２】
なお、紙紐１９を利用しないで、通常の粘着テープ用カッターとして利用することもできる。その場合は、紙紐１９を図６に示したように、鋭いＶ字型の切欠き２２ｎに紙紐１９を巻き止めておけば良い。
【００３３】
実際の接着作業は次のように行う。すなわち、粘着テープ１８を貼り付けるべき貼付面２５（ダンボール箱の左右フラップの合わせ箇所など）に粘着テープ１８の先端を貼り付け、前方ローラー１５を回転させることで、粘着テープ１８を引き出しながら必要な長さの貼付作業を行う。ここでは、粘着テープ１８と貼付面２５との間に、紙紐１９が介在するが、その位置は規制板２２により常に粘着テープ１８の幅方向中央に制御されている。
【００３４】
必要な長さの貼付けを完了すると、以下のような手順で粘着テープ１８および紙紐１９の切断を行う。まず、図７に示したようにカッター本体１１の後部を上にして、図８に示したように紐カッター１７の先端から貼付面２５にカッター本体１１を押し付ける。すると、紐カッター１７は、軸１６の回りに図で右方向に回動して、以下に説明するように紙紐１９の切断が行われる。
【００３５】
図９は、紐カッター１７の拡大斜視図である。この図では、カッター本体１１に枢支されている前方ローラー１５も描かれており、紐カッター１７との相対関係を示している。紐カッター１７には、前方ローラー１５に対向した位置にＶ字刃１７ｂが設けられている。また、前方ローラー１５側の対応する位置には、溝１５Ｖが設けられている。紐カッター１７が回動すると、Ｖ字刃１７ｂは前方ローラー１５の溝１５Ｖ内に移動して、図１０に示したように、紙紐１９の切断を行うことが出来る。通常ユーザーは、内側に設けられているＶ字刃１７ｂには触れることはできないので、Ｖ字刃１７ｂの刃先を十分に鋭くすることができる。
【００３６】
紙紐１９の切断を行った後に、カッター本体１１の鋸刃１２ｂによって粘着テープ１８の切断を行う（図１１参照）。切断の際には粘着テープ用カッター１０を持つ手で、粘着テープ１８のロールが回転しないように抑を張力が発生し、鋸刃１２ｂを粘着テープ１８に食い込むようにする。一方、紙紐１９は既に切断されているので張力は発生せず、ここでは紙紐１９が切断されることはない。また、鋸刃１２ｂの刃先は鋭くないので、紙紐１９が切断されないことを確実にする。
【００３７】
その後、カッター本体１１を取り去ると、紙紐１９が抜け落ち、粘着テープ１８の先端部分から若干の長さだけはみ出ることになる（図１２参照）。例えば、一般家庭に宅配などで荷物が届いた場合、粘着テープ１８の先端部分からはみ出た紙紐１９の先端１９Ｌを指で摘んで引くことで楽に開封することができる。
【００３８】
従って、この粘着テープ用カッターを使って貼り付けられた粘着テープの状態は、図１３に示したようなものになる。すなわち、図の右端にあるように貼り始めでは、粘着テープ１８の先端には紙紐１９は介在していない。一方、図の左端にあるように貼り終わりでは、粘着テープ１８の終端からは紙紐１９の終端１９Ｌがはみ出ている。この紙紐１９の終端１９Ｌを手がかりとなって、剥がす作業が非常に楽になる。
【００３９】
粘着テープ１８が紙製のガムテープであれば、図１４に示したように真ん中で破いていくことが出来る。通常、紙製ガムテープは水溶性の糊を使用し、剥離剤や合成樹脂系接着剤などの非水溶性樹脂を使っていないので、再生紙としてリサイクルする場合でも、残りを剥がす必要がない。粘着テープ１８がアクリル粘着テープのような丈夫なものの場合でも、紙紐１９の先端１９Ｌを指で摘んで引くことで、テープの端をめくり上げることができ、開封作業を容易にする。
【００４０】
なお、紙紐１９は、カッター本体１１の鋸刃１２ｂによって切断されない程度に丈夫で、摘みやすい太さがあるものが良い。しかし、余り丈夫過ぎることなく、紐カッター１７では容易に切りやすい物が良い。従って、そのような材質であれば、紙製に限らず適度に薄くて細いビニールテープのようなものを利用することもできる。また、毛糸のような素材を利用しても、手元に優しく使い勝手が良い。
【実施例２】
【００４１】
図１５は、実施例２による粘着テープ用カッターを示す右側面図である。粘着テープ用カッター５０は、樹脂製のカッター本体５１と、このカッター本体５１と一体的に形成されたテープ保持シリンダー１２と、このカッター本体５１の外側に、テープ保持シリンダー１２と同軸に回転可能に設けられた糸巻き１３と、カッター本体５１の後方に回転可能に設けられた後方ローラー１４および前方ローラー５５とからなっている。
【００４２】
実施例１と対応する部材には同様の符号を用いてその説明を省略する。やはり、粘着テープ１８は、テープ保持シリンダー１２に嵌め込み、テープ先端を後方ローラー１４および前方ローラー５５の間に通して使用する。
【００４３】
この実施例では、紐カッターは使用しない。その代わりに、カッター本体５１の先端部分に設けられた鋸刃５６が特別な構造を持っている。図１６は、鋸刃５６の拡大図である。ここで鋸刃５６は、右刃５６Ｒ、左刃５６Ｌおよび中刃５６Ｍからなっている。右刃５６Ｒと左刃５６Ｌは、実施例１で使用されている通常の鋸刃１２ｂと同等のものであるが、左右に分離されている。
【００４４】
中刃５６Ｍは、一辺が５〜１０ｍｍ程度のＶ字型の刃であり、右刃５６Ｒと左刃５６Ｌの後ろ側にずれた位置に設けられている。従って、ユーザーが直接には触れにくい位置にあり、右刃５６Ｒと左刃５６Ｌよりもより鋭い刃先となっている。図１７は鋸刃５６を前から見た図であり、図１８は鋸刃５６Ｒを下から見た図である。これらの図から、右刃５６Ｒ、左刃５６Ｌおよび中刃５６Ｍの位置関係が理解できる。
【００４５】
すなわち、中刃５６Ｍは右刃５６Ｒ、左刃５６Ｌよりも上に位置しているので、右刃５６Ｒと左刃５６Ｌが粘着テープ１８を切断している段階では、中刃５６Ｍは粘着テープ１８に接触しない。右刃５６Ｒと左刃５６Ｌによる粘着テープ１８の切断が完了すると、粘着テープ１８が中刃５６Ｍに当接し切断する。しかし、中刃５６Ｍは右刃５６Ｒ、左刃５６Ｌの背後に位置しているので、ロール側の粘着テープ１８の切断状態は最終的には図１９に示したような状態となる。
【００４６】
例えば、中刃５６Ｍは右刃５６Ｒ、左刃５６Ｌよりも、刃先の比較で５〜１０ｍｍ程度上に位置している。また、中刃５６ＭはＶ字型の刃である為、右刃５６Ｒ、左刃５６Ｌの背後に位置する場合、Ｖ字の先端は、Ｖ字の角度をθとして一辺（５〜１０ｍｍ程度）のｓｉｎ（θ／２）倍以上、右刃５６Ｒ、左刃５６Ｌの後ろにＶ字先端が位置することになる。
【００４７】
図１９に示したように、上に粘着テープ１８の一部が付いているものの紙紐１９が、粘着テープ１８から突出したような形となっている。従って、次にこの粘着テープ１８を利用する場合には、粘着テープ１８の先端部分から紙紐１９が突出している状態で貼り付けが行われる。貼り付けられた粘着テープ１８を除去する場合には、図１４に示したような方法で、この突出部分から紙紐１９の先端を摘んで引き剥がせば良いので、ダンボールなどの開封を容易に行うことができる。
【００４８】
なお、Ｖ字型の刃を利用すれば、紙紐１９が中央位置から若干ずれていても、Ｖ字形状によってＶ字の角まで移動して切断されるという効果もある。しかし、中刃５６Ｍの形状としては、通常の平坦な刃とすることも可能である。通常の平坦な刃では、Ｖ字型の刃に比べて若干のコストメリットが考えられる。この平坦な刃５６Ｍ’を用いた例を、図１８に対応する平面図に表せば、図２０に示したようなものとなる。その場合、粘着テープ１８の突出部分の形状は、図２１に示したようなものとなる。
【産業上の利用可能性】
【００４９】
以上のように、本発明の粘着テープ用カッターによれば、梱包箱等から剥がす作業を非常に楽に且つ確実に行うことができるので、一般用の宅配梱包や業務用の荷造りに好適に利用できる。
【符号の説明】
【００５０】
１０  粘着テープ用カッター
１１  カッター本体
１１ｃ  切り込み
１１ｈ  弾性フック
１２  テープ保持シリンダー
１２ａ  ストッパー
１２ｂ  鋸刃
１３  糸巻き
１４  後方ローラー
１５  前方ローラー
１５Ｖ  溝
１６  軸
１７  紐カッター
１７ｂ  字刃
１８  粘着テープ
１９  紙紐
１９Ｌ  先端
２１  孔
２２  規制板
２２ｄ  切り込み
２２ｎ  Ｖ字型切欠き
２５  貼付面
５０  粘着テープ用カッター
５１  カッター本体
５５  前方ローラー
５６  鋸刃
５６Ｌ  左刃
５６Ｍ  中刃
５６Ｒ  右刃
５６Ｍ’  中刃
【図１】
2013209167.tif 000003
【図２】
2013209167.tif 000004
【図３】
2013209167.tif 000005
【図４】
2013209167.tif 000006
【図５】
2013209167.tif 000007
【図６】
2013209167.tif 000008
【図７】
2013209167.tif 000009
【図８】
2013209167.tif 000010
【図９】
2013209167.tif 000011
【図１０】
2013209167.tif 000012
【図１１】
2013209167.tif 000013
【図１２】
2013209167.tif 000014
【図１３】
2013209167.tif 000015
【図１４】
2013209167.tif 000016
【図１５】
2013209167.tif 000017
【図１６】
2013209167.tif 000018
【図１７】
2013209167.tif 000019
【図１８】
2013209167.tif 000020
【図１９】
2013209167.tif 000021
【図２０】
2013209167.tif 000022
【図２１】
2013209167.tif 000023